(57)【要約】【課題】他の画像との画像合成が必要となる特殊効果を適用しても画像の品質が低下しない、製版装置に代表される画像処理装置を提供することを目的とする。【解決手段】製版装置１０では、処理対象のページに含まれる画像を選択して所定の操作を行うことにより、選択した画像を特殊効果の適用対象とすることができる。合成画像作成部１５２ｃは、特殊効果の適用対象の画像を含む合成対象画像群８７を合成することにより、特殊効果を適用した合成画像８６を生成する。合成解像度決定部１５２ａは、合成画像８６の解像度である合成解像度Rcを決定する。この合成解像度Rcは、適用対象画像群の各画像の解像度の２倍以上に決定される。【選択図】図３
2006236048.tif 000002
【特許請求の範囲】
【請求項１】
処理対象のページに含まれる画像に視覚的効果を適用可能な画像処理装置であって、
所定の視覚的効果の適用対象となる画像である適用対象画像を指定するための指定手段と、
前記適用対象画像を含む複数の画像である合成対象画像群を合成して、前記所定の視覚的効果を適用した合成画像を生成する合成手段と、
前記合成画像の解像度である合成解像度を決定する決定手段と、
を備え、
前記決定手段は、前記合成解像度を、前記合成対象画像群の各画像の解像度の２倍以上の解像度に決定可能であることを特徴とする画像処理装置。
【請求項２】
請求項１に記載の画像処理装置において、
前記決定手段が、前記合成解像度を、前記合成画像を出力する出力機の解像度と一致させることを特徴とする画像処理装置。
【請求項３】
請求項１または請求項２に記載の画像処理装置において、
前記合成画像を含む、ページ記述言語で記述されたファイルを作成するファイル作成手段をさらに備えることを特徴とする画像処理装置。
【請求項４】
請求項３に記載の画像処理装置において、
前記所定の視覚的効果が、前記ページ記述言語で記述できない視覚的効果であることを特徴とする画像処理装置。
【請求項５】
請求項４に記載の画像処理装置において、
前記所定の視覚的効果が、ＭＡＸ合成、ＡＤＤ合成、透かし、溶かし込みまたはなじませであることを特徴とする画像処理装置。
【請求項６】
請求項３ないし請求項５のいずれかに記載の画像処理装置において、
前記合成対象画像群の各画像の間の関係の情報を含む中間データを生成する中間データ生成手段をさらに備え、
前記作成手段が、操作者から与えられた所定の指示に応答して、前記ファイルを作成することを特徴とする画像処理装置。
【請求項７】
請求項１ないし請求項６のいずれかに記載の画像処理装置において、
前記決定手段が、前記合成対象画像群の各画像の解像度と所定の解像度とが一致しない場合に、前記合成解像度を、前記合成対象画像群の各画像の解像度の２倍以上の解像度に決定することを特徴とする画像処理装置。
【請求項８】
処理対象のページに含まれる画像に視覚的効果を適用するための画像処理方法であって、
所定の視覚的効果の適用対象となる画像である適用対象画像を指定する指定工程と、
前記適用対象画像を含む複数の画像である合成対象画像群を合成して、前記所定の視覚的効果を適用した合成画像を生成する合成工程と、
前記合成工程に先立って、前記合成画像の解像度である合成解像度を決定する決定工程と、
を備え、
前記決定工程において、前記合成解像度を、前記合成対象画像群の各画像の解像度の２倍以上の解像度に決定可能であることを特徴とする画像処理方法。
【請求項９】
処理対象のページに含まれる画像に視覚的効果を適用するための画像処理プログラムであって、
前記画像処理プログラムをコンピュータに実行させることにより、前記コンピュータに、
所定の視覚的効果の適用対象となる画像である適用対象画像の指定を検出する指定手段と、
前記適用対象画像を含む複数の画像である合成対象画像群を合成して、前記所定の視覚的効果を適用した合成画像を生成する合成手順と、
前記合成手順に先立って、前記合成画像の解像度である合成解像度を決定する決定手順と、
を実行させるとともに、
前記決定手順において、前記合成解像度を、前記合成対象画像群の各画像の解像度の２倍以上の解像度に決定可能であることを特徴とする画像処理プログラム。
【発明の詳細な説明】
【技術分野】
【０００１】
本発明は、処理対象のページに含まれる画像に視覚的効果を適用可能な画像処理装置、画像処理方法および画像処理プログラムに関する。
【背景技術】
【０００２】
従来より、PostScript（Adobe Systems社の登録商標）等のページ記述言語で記述されたページデータを、製版装置から出力機へ出力することにより、製版を行う製版システムが用いられている。当該製版システムでは、ＭＡＸ合成、ＡＤＤ合成、透かし、溶かし込みおよびなじませ等の、ページ記述言語がサポートしていない特殊な視覚的効果を処理対象のページに含まれる画像に適用する場合、製版装置の側で画像合成を行い、当該視覚的効果を適用済の合成画像を製版装置から出力機へ出力するページデータに含めている。そして、当該画像合成では、合成画像の解像度は、処理速度やページデータのファイル容量を考慮して、出力機の解像度（典型的には、２０００ｄｐｉ〜２４００ｄｐｉ）よりも低い固定された解像度（典型的には４００ｄｐｉ）とされている。
【０００３】
なお、非特許文献１は、画像合成の対象となる複数の画像の解像度のうちの最高の解像度を合成画像の解像度とする技術を開示している。
【０００４】
【非特許文献１】Adobe Systems、「Achieving Reliable Print Output with Transparency」、[online]、p.31、[平成１７年２月７日]、インターネット(URL:http://www.adobe.com/products/extreme/pdfs/TransHowToGuide1.pdf)
【発明の開示】
【発明が解決しようとする課題】
【０００５】
しかし、従来の技術には、画像合成に伴う解像度の変換により、画像の品質が低下するという問題があった。
【０００６】
ここで、図６および図７を参照しながら、解像度の変換による画像の品質の低下について説明する。図６および図７では、画像を構成する画素ＰＸが、白画素（白色正方形部分）ＰＸＷまたは黒画素（灰色正方形部分）ＰＸＢのいずれかである二値化画像を例として、解像度の変換による画像ＩＭ９の品質の低下について説明しており、図６は解像度を低下させた場合の例、図７は解像度を上昇させた場合の例となっている。
【０００７】
図６に示すように、画像ＩＭ９の解像度を４５０ｄｐｉから４００ｄｐｉへ低下させると、解像度変換後の画像ＩＭ９２においては、解像度変換前の画像ＩＭ９１と大きく異なる部分ＰＡが発生し、画像ＩＭ９の品質の低下が起こっている。同様に、図７に示すように、画像ＩＭ９の解像度を４５０ｄｐｉから５００ｄｐｉへ上昇させても、解像度変換後の画像ＩＭ９４においては、解像度変換前の画像ＩＭ９３と大きく異なる部分ＰＡが発生し、画像ＩＭ９の品質低下が起こっている。
【０００８】
したがって、製版装置において、特殊効果の適用対象となる画像の解像度が４５０ｄｐｉであり、合成画像の解像度が４００ｄｐｉである場合、特殊効果の適用対象となる画像の解像度が４５０ｄｐｉから４００ｄｐｉに変換されてから画像合成が行われるので、画像合成にあたって画像の品質が低下することになる。
【０００９】
また、製版装置において、特殊効果の適用対象となる画像の解像度が４００ｄｐｉであり、合成画像の解像度が４００ｄｐｉであっても、特殊効果の適用対象となる画像と合成される他の画像（例えば、特殊効果の適用対象となる画像の直下の画像）の解像度が４５０ｄｐｉである場合、当該他の画像の解像度が４５０ｄｐｉから４００ｄｐｉに変換されてから画像合成が行われるので、やはり、画像合成にあたって画像の品質が低下することになる。
【００１０】
加えて、図７に示したように、解像度を上昇させた場合も画像の品質の低下が起こるので、非特許文献１の技術のように、画像合成の対象となる複数の画像の解像度のうちの最高の解像度を合成画像の解像度としても、画像の品質の低下を防ぐことはできない。
【００１１】
本発明は、この問題を解決するためになされたもので、他の画像との画像合成が必要となる視覚的効果を適用しても画像の品質が低下しない、製版装置に代表される画像処理装置を提供することを目的とする。
【課題を解決するための手段】
【００１２】
上記課題を解決するため、請求項１の発明は、処理対象のページに含まれる画像に視覚的効果を適用可能な画像処理装置であって、所定の視覚的効果の適用対象となる画像である適用対象画像を指定するための指定手段と、前記適用対象画像を含む複数の画像である合成対象画像群を合成して、前記所定の視覚的効果を適用した合成画像を生成する合成手段と、前記合成画像の解像度である合成解像度を決定する決定手段とを備え、前記決定手段は、前記合成解像度を、前記合成対象画像群の各画像の解像度の２倍以上の解像度に決定可能である。
【００１３】
請求項２の発明は、請求項１に記載の画像処理装置において、前記決定手段が、前記合成解像度を、前記合成画像を出力する出力機の解像度に決定する。
【００１４】
請求項３の発明は、請求項１または請求項２に記載の画像処理装置において、前記合成画像を含む、ページ記述言語で記述されたファイルを作成するファイル作成手段をさらに備える。
【００１５】
請求項４の発明は、請求項３に記載の画像処理装置において、前記所定の視覚的効果が、前記ページ記述言語で記述できない視覚的効果である。
【００１６】
請求項５の発明は、請求項４に記載の画像処理装置において、前記所定の視覚的効果が、ＭＡＸ合成、ＡＤＤ合成、透かし、溶かし込みまたはなじませである。
【００１７】
請求項６の発明は、請求項３ないし請求項５のいずれかに記載の画像処理装置において、前記合成対象画像群の各画像の間の関係の情報を含む中間データを生成する中間データ生成手段をさらに備え、前記作成手段が、操作者から与えられた所定の指示に応答して、前記ファイルを作成する。
【００１８】
請求項７の発明は、請求項１ないし請求項６のいずれかに記載の画像処理装置において、前記決定手段が、前記合成対象画像群の各画像の解像度と所定の解像度とが一致しない場合に、前記合成解像度を、前記合成対象画像群の各画像の解像度の２倍以上の解像度に決定する。
【００１９】
請求項８の発明は、処理対象のページに含まれる画像に視覚的効果を適用するための画像処理方法であって、所定の視覚的効果の適用対象となる画像である適用対象画像を指定する指定工程と、前記適用対象画像を含む複数の画像である合成対象画像群を合成して、前記所定の視覚的効果を適用した合成画像を生成する合成工程と、前記合成工程に先立って、前記合成画像の解像度である合成解像度を決定する決定工程とを備え、前記決定工程において、前記合成解像度を、前記合成対象画像群の各画像の解像度の２倍以上の解像度に決定可能である。
【００２０】
請求項９の発明は、処理対象のページに含まれる画像に視覚的効果を適用するための画像処理プログラムであって、前記画像処理プログラムをコンピュータに実行させることにより、前記コンピュータに、所定の視覚的効果の適用対象となる画像である適用対象画像の指定を検出する指定手段と、前記適用対象画像を含む複数の画像である合成対象画像群を合成して、前記所定の視覚的効果を適用した合成画像を生成する合成手順と、前記合成手順に先立って、前記合成画像の解像度である合成解像度を決定する決定手順とを実行させるとともに、前記決定手順において、前記合成解像度を、前記合成対象画像群の各画像の解像度の２倍以上の解像度に決定可能である。
【発明の効果】
【００２１】
請求項１ないし請求項８の発明によれば、合成解像度を、合成対象画像群の各画像の解像度の２倍以上の解像度に決定可能であるので、画像合成に伴う解像度変換に起因する画像の品質の低下を抑制可能であり、したがって、他の画像との画像合成が必要となる視覚的効果を処理対象のページに含まれる画像に適用した場合でも、画像の品質の低下を防止可能である。
【００２２】
請求項５の発明によれば、適用対象画像の指定ごとに合成画像を生成する必要がないので、画像処理装置の負荷を低減可能である。
【００２３】
請求項６の発明によれば、画質が低下するような画像合成が必要となる場合のみに、合成解像度を、合成対象画像群の各画像の解像度の２倍以上の解像度に決定するので、画像処理装置の負荷を低減可能である。
【発明を実施するための最良の形態】
【００２４】
＜１  構成＞
＜１.１  製版システム＞
図１は、本発明の実施形態に係る製版装置１０を含む製版システム１の全体構成を示すブロック図である。
【００２５】
図１に示すように、製版システム１は、製版装置１０、ＲＩＰ（Raster Image Processor）２０および出力機３０を備える。
【００２６】
画像処理装置の一例である製版装置１０は、製版に係る処理を処理対象のページに施した後に、当該ページに関する情報を含むページデータを出力する。製版装置１０は、少なくともＣＰＵ１１およびメモリ１２を備えるコンピュータによって構成され、製版装置１０の各種機能は、インストールされた製版プログラムＰＲＧを当該コンピュータが実行することにより実現される。この製版プログラムＰＲＧは、ＤＴＰ（Desk Top Publishing）等に用いられる、レイアウト用のアプリケーションソフトウエアである。
【００２７】
製版装置１０は、ユーザインターフェース１３として、ディスプレイ１３１、キーボード１３２およびマウス１３３等を備え、ユーザインターフェース１３に対して操作者が行った操作を検出して、当該操作に対応する処理を実行する。製版装置１０は、ディスプレイ１３１に表示されたＧＵＩ（Graphical User Interface）画面を参照しながら所定のＧＵＩ操作を行うことにより、製版に係る指示を与えることができるように構成される。
【００２８】
また、製版装置１０は、ページ記述言語であるPostScript（ポストスクリプト）で記述されたPostScriptファイル（以下では、「ＰＳファイル」とも称する）８１をページデータとして出力可能である。もちろん、PostScript以外のページ記述言語で記述されたファイル、例えばＰＤＦ（Portable Document Format）等を出力可能に製版装置１０を構成することも妨げられない。
【００２９】
ＲＩＰ２０は、ＰＳファイル８１を解析して、出力機３０の解像度に応じたラスタデータ８２を生成する。ＲＩＰ２０は、専用のハードウエアによって実現されてもよいし、コンピュータにプログラムを実行させることにより実現されてもよい。また、出力機３０にＲＩＰ２０を内蔵させることも妨げられない。
【００３０】
出力機３０は、入力されたラスタデータ８２に基づく画像を記録媒体上に形成する。出力機３０は、典型的には、印画紙やフィルム上に画像を形成するイメージセッタであるが、普通紙上に画像を形成するプリンタ、あるいは直接刷版を作成するＣＴＰ（Computer to Plate）機であってもよい。
【００３１】
製版システム１では、製版装置１０とＲＩＰ２０とがネットワーク４０によって通信可能に接続され、ＲＩＰ２０と出力機３０とが所定のインターフェースによって通信可能に接続される。したがって、製版システム１では、操作者が、ページの出力指示を製版装置１０に与えると、当該ページを記述したＰＳファイル８１が製版装置１０からＲＩＰ２０へ転送され、当該ＰＳファイル８１をラスタライズしたラスタデータ８２がＲＩＰ２０から出力機３０へ転送される。これにより、操作者は、ページの出力（印刷物等）を得ることができる。
【００３２】
＜１.２  製版装置＞
本発明の実施形態に係る製版装置１０では、ページに含まれる部品であるオブジェクト（画像）の位置、回転角度および変倍倍率を様々に設定することにより、ページのレイアウトを行うことができる。さらに、製版装置１０では、ページに含まれる画像の重なり合っている部分に様々な視覚的効果を適用可能となっている。以下では、当該視覚的効果について最初に説明し、しかる後に、当該視覚的効果の適用に関する製版装置１０の機能的構成について説明する。
【００３３】
○視覚的効果；
製版装置１０では、処理対象のページに含まれるオブジェクト（画像）を選択して所定の操作を行うことにより、選択した画像を特殊な視覚的効果（以下では、「特殊効果」とも称する）の適用対象とすることができる。以下では、このような特殊効果について、図２に例示される、ディスプレイ１３１に表示されるＧＵＩ画面ＧＳを参照しながら説明する。
【００３４】
製版装置１０では、ＧＵＩ画面ＧＳにおけるページの表示領域ＤＡに含まれる複数の画像ＩＭ１のいずれかを選択してボタンＢＴ１〜ＢＴ４のいずれかを押下することにより、選択した画像（以下では、画像ＩＭ１１とし、「適用対象画像」とも称する）を、押下したボタンに対応した特殊効果の適用対象とすることができる。
【００３５】
ここでいう「特殊効果」とは、PostScriptで記述できないために、ＰＳファイル８１の作成に先立って、適用対象画像ＩＭ１１を他の画像ＩＭ１２とあらかじめ合成しておく必要がある視覚的効果である。「特殊効果」の典型的な例は、「ＭＡＸ合成」「ＡＤＤ合成」「透かし」「溶かし込み」および「なじませ」と呼ばれるような視覚的効果である。もちろん、製版装置１０が出力するページデータの記述に用いられるページ記述言語が変化すれば、「特殊効果」として扱うべき視覚的効果も変化する。
【００３６】
以下では、上述の「ＭＡＸ合成」「ＡＤＤ合成」「透かし」「溶かし込み」および「なじませ」について順次説明する。
【００３７】
「ＭＡＸ合成」とは、適用対象画像ＩＭ１１と当該適用対象画像ＩＭ１１の直下の画像ＩＭ１２との重なり合っている部分ＯＶＬの網点％値を、元の網点％値のうちの大きい方と一致させる視覚的効果である。この網点％値は、Ｃ版、Ｍ版およびＹ版の各版ごとに決定される。例えば、適用対象画像ＩＭ１１のＣ版、Ｍ版およびＹ版の網点％値が、それぞれ、３０％、４０％および２０％であり、画像ＩＭ１２のＣ版、Ｍ版およびＹ版の網点％値が、それぞれ、１０％、２０％および８０％である場合、「ＭＡＸ合成」適用後の重なり合っている部分ＯＶＬのＣ版、Ｍ版およびＹ版の網点％値は、それぞれ、３０％、４０％および８０％となる。
【００３８】
「ＡＤＤ合成」とは、適用対象画像ＩＭ１の網点％値をx、画像ＩＭ１２の網点％値をyとしたときに、重なり合っている部分ＯＶＬの網点％値をx+(1-x)*yとするような視覚的硬化である。
【００３９】
「透かし」とは、適用対象画像ＩＭ１１が指定された割合に応じて透けて見える視覚的効果である。例えば、指定された割合が０．７５であるとすれば、重なり合っている部分ＯＶＬには、適用対象画像ＩＭ１１が０．７５、画像ＩＭ１２が０．２５（＝１−０．７５）の割合で反映される。もちろん、この割合を各版ごとに指定可能としてもよい。
【００４０】
「溶かし込み」とは、上述の「透かし」の割合が、位置によって連続に変化する、すなわち、グラデーション状に変化する視覚的効果である。
【００４１】
「なじませ」とは、適用対象画像ＩＭ１１の指定された幅の周囲を、画像ＩＭ１２となじませる視覚的効果である。
【００４２】
○製版装置の機能的構成；
図３は、特殊効果の適用に関する製版装置１０の機能的構成を示すブロック図である。図３に示す中間データ作成部１５１、画像データ作成部１５２（合成解像度決定部１５２ａ、解像度変換部１５２ｂおよび合成画像作成部１５２ｃ）およびＰＳファイル作成部１５３は、コンピュータが製版プログラムＰＲＧを実行することにより実現される機能を模式的に示す機能的ブロックである。
【００４３】
中間データ作成部１５１は、製版装置１０（製版プログラムＰＲＧ）に固有のネイティブデータである中間データ（ＤＳＺ）８５を作成する。中間データ８５には、ページに含まれる画像の位置、回転角度および変倍率の情報が含まれる。さらに、中間データ８５は、ページに含まれる複数の画像の間の関係の情報（リレーション）を保持している。中間データ作成部１５１は、ユーザインターフェース１３を用いて適用対象画像ＩＭ１１が指定されるのに応答して、適用対象画像ＩＭ１１とその直下の画像ＩＭ１２との間にリレーションを定義して中間データ８５に含める。
【００４４】
画像データ作成部１５２は、中間データ８５を参照して、リレーションによって関連づけられた適用対象画像ＩＭ１１および画像ＩＭ１２（以下では、「合成対象画像群」とも称する）を合成して、リレーションに対応する特殊効果を適用した合成画像８６を生成する。この画像データ作成部１５２の詳細は後述する。
【００４５】
ＰＳファイル作成部１５３は、製版装置１０が出力するＰＳファイル８１を作成する。
【００４６】
○画像データ作成部の詳細な構成；
以下では、図３を参照しながら、画像データ作成部１５２の詳細な構成を説明する。
【００４７】
図３に示すように、画像データ作成部１５２は、合成解像度決定部１５２ａと、解像度変換部１５２ｂと、合成画像作成部１５２ｃとを備える。
【００４８】
合成解像度決定部１５２ａは、中間データ８５で定義されたリレーションによって特定される合成対象画像群８７の各画像ＩＭ１１，ＩＭ１２の解像度R11,R12と、あらかじめ設定されている所定の解像度（以下では、「設定解像度」とも称する）Rsとに基づいて、合成画像８６の解像度である合成解像度Rcを決定する。
【００４９】
より具体的には、合成解像度決定部１５２ａは、解像度R11,R12と設定解像度Rsとが一致している場合には、合成解像度Rcを設定解像度Rsと一致させる。一方、合成解像度決定部１５２ａは、解像度R11,R12と設定解像度Rsとが一致していない場合には、合成解像度Rcを、解像度R11,R12より高い高解像度Rhに決定する。この高解像度Rhは、合成対象画像群８７の各画像ＩＭ１１，ＩＭ１２の解像度R11,R12を当該高解像度Rhに変換しても画像の品質の低下が起こらないものであればよく、望ましくは、解像度R11,R12の２倍以上であればばよい。これは、図４に示すように、画像ＩＭ２の解像度を２倍以上（図４では、４００ｄｐｉから８００ｄｐｉ）に向上した場合、解像度の変換に伴う画像ＩＭ２の品質の低下を抑制できることによるものである。なお、図４では、画像を構成する画素ＰＸが、白画素（白色正方形部分）ＰＸＷまたは黒画素（灰色正方形部分）ＰＸＢのいずれかである二値化画像を例としている。
【００５０】
なお、望ましくは、この高解像度Rhは、出力機３０の解像度に一致させられる。
【００５１】
解像度変換部１５２ｂは、合成対象画像群８７の各画像ＩＭ１１，ＩＭ１２の解像度R11,R12を、合成解像度決定部１５２ａが決定した合成解像度Rcへ変換する。
【００５２】
合成画像作成部１５２ｃは、解像度変換部１５２ｂにより解像度の変換が行われた後の合成対象画像群８７を合成することにより、合成解像度決定部１５２ａが決定した合成解像度Rcを有する合成画像８６を生成し、ＰＳファイル作成部１５３へ出力する。当該合成画像８６は、合成対象画像群８７に含まれる適用対象画像ＩＭ１１に適用されるべき特殊効果が適用済の合成画像となっている。なお、製版装置１０では、解像度変換部１５２ｂによる解像度変換により合成対象画像群８７の各画像ＩＭ１１，ＩＭ１２の品質が低下することはないので、解像度変換後の合成対象画像群８７を合成して得られる合成画像８６も、解像度変換前の合成対象画像群８７の各画像ＩＭ１１，ＩＭ１２と比較して、品質が低下することはない。
【００５３】
＜２  動作＞
図５は、操作者から与えられたページの出力指示に応答して製版装置１０で行われるＰＳファイル８１の作成に係る動作を示すフローチャートである。
【００５４】
図５に示すように、ＰＳファイル８１の作成においては、ステップＳ１０１のループ始端およびステップＳ１１０のループ終端に囲まれるステップＳ１０２〜Ｓ１０９の処理が、処理対象のページに含まれるオブジェクトごとに行われ、全てのオブジェクトについて、ステップＳ１０２〜Ｓ１０９が完了すると、動作フローが終了するようになっている。
【００５５】
当該ループ（オブジェクトの検索）では、まず、中間データ８５を参照して、着目しているオブジェクトが、（１）適用対象画像ＩＭ１１となりうる画像であるか否か［ステップＳ１０２］、（２）実際に適用対象画像ＩＭ１１に指定されているか否か［ステップＳ１０３］が判定される。ステップＳ１０２およびＳ１０３において、着目しているオブジェクトが、ページの出力指示に先立って実際に適用対象画像ＩＭ１１に指定されている場合、ステップＳ１０４以降の処理が行われ、それ以外の場合、当該オブジェクトに関する記述がＰＳファイル８１に記載され［ステップＳ１０９］、着目しているオブジェクトに係るループが終了する。
【００５６】
続いて、合成解像度決定部１５２ａにより、着目している適用対象画像ＩＭ１１の解像度R11が設定解像度Rsと一致するか否か［ステップＳ１０４］、当該適用対象画像ＩＭ１１の直下の画像ＩＭ１２の解像度R12が設定解像度Rsと一致するか否か［ステップＳ１０５］が判定される。ステップＳ１０４およびＳ１０５において、解像度R11,R12のいずれも設定解像度Rsと一致する場合、合成解像度Rcが設定解像度Rsと一致する解像度に決定され、合成画像作成部１５２ｃにより当該合成解像度Rcで合成画像８６が作成される［ステップＳ１０６］。一方、解像度R11,R12のいずれかが設定解像度Rsと一致しない場合、合成解像度Rcが解像度R11,R12の２倍以上の解像度、たとえば出力解像度（高解像度Rh）に決定され、合成画像作成部１５２ｃにより当該合成解像度Rcで合成画像８６が作成される［ステップＳ１０７］。このような分岐処理は、合成対象画像群８７の各画像ＩＭ１１，ＩＭ１２の解像度R11,R12がデフォルトの設定解像度Rsと一致している場合は、当該設定解像度Rsを合成解像度Rcとすれば解像度変換は不要であり、画像の品質の低下の恐れがないことによるものである。逆にいえば、このような分岐処理は、画質の低下の原因となる解像度の変換（画像合成）が必要な場合にのみ合成解像度Rcを高解像度Rhとすることにより、製版装置１０の処理負荷を低減するために行われている。
【００５７】
ステップＳ１０６またはＳ１０７で作成された合成画像８６は、出力指示の検出に応答してＰＳファイル作成部１５３が作成するＰＳファイル８１にインクルードされ［ステップＳ１０８］、しかる後に、着目しているオブジェクトに関するループは終了する。
【００５８】
このような動作により、製版装置１０では、他の画像との画像合成が必要となる特殊な視覚的効果を指定した場合に、合成画像８６の品質の低下を防止可能である。
【００５９】
さらに、上述の説明から明らかなように、製版装置１０では、操作者から与えられた出力指示の検出に応答して、合成画像８６を含むＰＳファイル８１が作成されるので、適用対象画像ＩＭ１１の指定ごとに合成画像８６を生成する必要がなく、低い負荷で処理を実行可能である。
【図面の簡単な説明】
【００６０】
【図１】本発明の実施形態に係る製版装置１０を含む製版システム１の全体構成を示すブロック図である。
【図２】ディスプレイ１３１に表示されるＧＵＩ画面ＧＳを例示する図である。
【図３】特殊効果の適用に関する製版装置１０の機能的構成を示すブロック図である。
【図４】画像ＩＭ１の解像度を２倍以上に向上した場合の、解像度の変換に伴う画像ＩＭ１の品質の低下の抑制について説明する図である。
【図５】操作者から与えられたページの出力指示に応答して製版装置１０で行われるＰＳファイル８１の作成に係る動作を示すフローチャートである。
【図６】解像度を低下させた場合の画像ＩＭ９の品質の低下について説明する図である。
【図７】解像度を上昇させた場合の画像ＩＭ９の品質の低下について説明する図である。
【符号の説明】
【００６１】
１  製版システム
１０  製版装置
１３  ユーザインターフェース
１５１  中間データ作成部
１５２  画像データ作成部
１５２ａ  合成解像度決定部
１５２ｂ  解像度変換部
１５２ｃ  合成画像作成部
１５３  ＰＳファイル作成部
２０  ＲＩＰ
３０  出力機
４０  ネットワーク
ＧＳ  ＧＵＩ画面
ＢＴ１，ＢＴ２，ＢＴ３，ＢＴ４  ボタン
ＩＭ１１  適用対象画像
ＩＭ１２  画像
ＰＲＧ  製版プログラム
【図１】
2006236048.tif 000003
【図２】
2006236048.tif 000004
【図３】
2006236048.tif 000005
【図４】
2006236048.tif 000006
【図５】
2006236048.tif 000007
【図６】
2006236048.tif 000008
【図７】
2006236048.tif 000009